(57)【要約】【課題】誤入力することなく対象物を読み取ることができ、ユーザにとって利便性および安定性に優れた携帯装置を実現する。【解決手段】本発明は、２つ折りに折り返し可能な筐体を有し、近傍の像を入力可能なセンサ内蔵液晶パネル３０１が、筐体を折り返した状態において表裏両面にそれぞれ配設されたデータ表示／センサ装置１００であって、筐体の姿勢を示す姿勢情報を取得する姿勢情報取得部８１０と、重力方向を下方向とした場合、姿勢情報取得部８１０が取得した姿勢情報に基づいて、筐体を折り返した状態における上記２つのセンサ内蔵液晶パネル３０１のうち、下側に位置するセンサ内蔵液晶パネル３０１を特定する特定部８２０と、特定部８２０が特定した上記下側のセンサ内蔵液晶パネル３０１の、近傍の像を入力する機能を無効にする入力無効部８３０と、を備える。【選択図】図１
2010140410.tif 000002
【特許請求の範囲】
【請求項１】
２つ折りに折り返し可能な筐体を有し、近傍の像を入力可能な面状部材が、上記筐体を折り返した状態において表裏両面にそれぞれ配設された携帯装置であって、
上記筐体の姿勢を示す姿勢情報を取得する姿勢情報取得手段と、
重力方向を下方向とした場合、上記姿勢情報取得手段が取得した上記姿勢情報に基づいて、上記筐体を折り返した状態における上記２つの面状部材のうち、下側に位置する下側面状部材を特定する特定手段と、
上記特定手段が特定した上記下側面状部材の、近傍の像を入力する機能を無効にする入力無効手段と、を備えることを特徴とする携帯装置。
【請求項２】
上記面状部材は、さらに、画像を表示するものであることを特徴とする請求項１に記載の携帯装置。
【請求項３】
上記下側面状部材における画像の表示を停止させる画像表示制御手段を備えることを特徴とする請求項２に記載の携帯装置。
【請求項４】
上記２つの面状部材のうち、上側に位置する面状部材を上側面状部材とした場合、
上記画像表示制御手段は、上記下側面状部材において画像表示が停止された後に、当該下側面状部材において表示されるべき下側画像を上記上側面状部材に表示させることを特徴とする請求項３に記載の携帯装置。
【請求項５】
上記上側面状部材は、上記上側面状部材が表示する上側画像と上記下側画像とを、互いに並べて表示する、あるいは重畳するように表示することを特徴とする請求項４に記載の携帯装置。
【請求項６】
上記姿勢情報取得手段は、ジャイロセンサ、加速度センサ、歪センサ、あるいは水銀スイッチによって構成されていることを特徴とする請求項１から５の何れか１項に記載の携帯装置。
【請求項７】
上記面状部材が、その面状部材上の各位置における受光量を検出するフォトダイオード群を備えており、そのフォトダイオード群が検出した受光量の変化に基づいて上記近傍の像を入力することを特徴とする請求項１から６の何れか１項に記載の携帯装置。
【請求項８】
２つ折りに折り返し可能な筐体を有し、近傍の像を入力可能な面状部材が、上記筐体を折り返した状態において表裏両面にそれぞれ配設された携帯装置の制御方法であって、
上記筐体の姿勢を示す姿勢情報を取得する姿勢情報取得ステップと、
重力方向を下方向とした場合、上記姿勢情報取得ステップによって取得された上記姿勢情報に基づいて、上記筐体を折り返した状態において上記２つの面状部材のうち、下側に位置する下側面状部材を特定する特定ステップと、
上記特定ステップによって特定された上記下側面状部材の、近傍の像を入力する機能を無効にする入力無効ステップと、を含むことを特徴とする携帯装置の制御方法。
【発明の詳細な説明】
【技術分野】
【０００１】
本発明は、対象物の像の入力を行なうことができる携帯装置ならびに該装置の制御方法に関するものである。
【背景技術】
【０００２】
従来から、データの入力操作を行う入力部が、表面又は裏面の少なくとも何れか一方に配設された入力装置（携帯装置）が知られている。
【０００３】
特許文献１には、複数のキーと共に、キー操作によって入力した情報を表示する表示部が表裏両面にそれぞれ配設された両面型電子機器本体と、それを収納する手帳型ケースと、によって構成される両面型電子機器が開示されている。そして、上記両面型電子機器は、手帳型ケースに両面キーボードを収納したときに、光の遮蔽によって何れの面が上を向いているかを検出して、それにより裏面側のキーボードからの入力を無効としている。上記両面型電子機器は、上記方法によって裏面側のキーボードからの入力を無効とし、裏面側のキーボードからの誤入力を防止している。
【０００４】
特許文献２には、２つ折りに折り畳み可能な筐体を有し、対向する一方の内面に、データの入力操作を行う入力部を備え、もう一方の内面に、入力した情報を表示する表示部を備え、入力部及び表示部は、ヒンジ機構により回転自在に回転し、さらに２つ折りに折り返すことが可能な入力装置が記載されている。そして、上記入力装置は、ヒンジ角度によって、上記入力装置が２つ折りに折り返されているか否かを検出でき、２つ折りに折り返されている場合には、キーボードへの入力が無効となり、キーボードからの誤入力を防止している。
【０００５】
特許文献３には、設置のための足を兼ね、その面の有効／無効を決めるスイッチが設けられた両面型キーボードが記載されており、そのスイッチが押されることにより、当該面のキーボードの誤入力が防止される。
【特許文献１】特開昭５８−１９１０６０号公報（公開日：昭和５８年１１月８日）
【特許文献２】特開平１１−３０５９２１号公報（公開日：平成１１年１１月５日）
【特許文献３】特開昭６２−２５６０１５号公報（公開日：昭和６２年１１月７日）
【発明の開示】
【発明が解決しようとする課題】
【０００６】
しかしながら、特許文献１に記載の両面型電子機器では、裏面側キーボードからの入力を無効とするためには、両面型電子機器本体を収納する手帳型ケースを必要とする。従って、手帳型ケースが手元に存在しない場合には、裏面側のキーボードからの入力を無効とすることができない。
【０００７】
また、特許文献２に記載の入力装置は、ヒンジ角度に基づいてキーボードへの入力を無効とする構成である。従って、入力部がユーザ側（つまり、上側）を向いている場合であっても、ヒンジ角度によっては、ユーザは入力部へ入力することができない。その場合、ヒンジ角度を変更しない限りデータの入力操作が不可能となり、ユーザにとって、入力装置としての利便性は著しく低いものとなる。
【０００８】
さらに、特許文献３に記載の両面型キーボードでは、裏面側キーボードからの入力を無効とするためには、各面にその面の有効／無効を決めるスイッチを設ける必要がある。従って、突起物となるスイッチを各面に設ける必要があるため、その突起物が邪魔となり、両面型キーボードの操作性が著しく低下する。
【０００９】
さらに、上記各特許文献では、入力操作においてキーボードが使用されている。従って、折り返した状態で筐体を机の上に設置した場合、キーボードが机と接触し、キーボードの破損等を引き起こす可能性が高い。
【００１０】
本発明は、上記の問題点に鑑みてなされたものであり、その目的は、ユーザにとって操作性および利便性に優れた携帯装置、および該装置の制御方法を実現することにある。
【課題を解決するための手段】
【００１１】
本発明に係る携帯装置は、上記課題を解決するために、２つ折りに折り返し可能な筐体を有し、近傍の像を入力可能な面状部材が、上記筐体を折り返した状態において表裏両面にそれぞれ配設された携帯装置であって、上記筐体の姿勢を示す姿勢情報を取得する姿勢情報取得手段と、重力方向を下方向とした場合、上記姿勢情報取得手段が取得した上記姿勢情報に基づいて、上記筐体を折り返した状態における上記２つの面状部材のうち、下側に位置する下側面状部材を特定する特定手段と、上記特定手段が特定した上記下側面状部材の、近傍の像を入力する機能を無効にする入力無効手段と、を備えることを特徴としている。
【００１２】
また、本発明に係る携帯装置の制御方法は、上記課題を解決するために、２つ折りに折り返し可能な筐体を有し、近傍の像を入力可能な面状部材が、上記筐体を折り返した状態において表裏両面にそれぞれ配設された携帯装置の制御方法であって、上記筐体の姿勢を示す姿勢情報を取得する姿勢情報取得ステップと、重力方向を下方向とした場合、上記姿勢情報取得ステップによって取得された上記姿勢情報に基づいて、上記筐体を折り返した状態における上記２つの面状部材のうち、下側に位置する下側面状部材を特定する特定ステップと、上記特定ステップによって特定された上記下側面状部材の、近傍の像を入力する機能を無効にする入力無効ステップと、を含むことを特徴としている。
【００１３】
これにより、本発明に係る携帯装置および携帯装置の制御方法では、ユーザが像の入力を必要としていない下側面状部材について、その近傍の像を入力する機能を無効とすることができ、その結果、下側面状部材からの誤入力を防止することができる。そして、姿勢情報取得手段および特定手段によって下側に位置する面状部材を容易に特定できるため、従来のように、装置の裏表を認識するために、カバーケース等の他の物品を使用する必要がない。しかも、上記構成を備えることにより、折り返す面を予め決めておく必要がなく、表裏両面を均等に使用することができる。
【００１４】
このように、上記携帯装置および上記制御方法では、当該装置の裏表等の区別なく、手に持った状態においても使用することができ、ユーザにとって、当該装置の操作性および利便性を向上させることができる。
【００１５】
さらに、本発明に係る携帯装置では、上記の構成において、上記面状部材は、さらに、画像を表示する構成としてもよい。
【００１６】
上記の構成によれば、さらに、上記面状部材は、近傍の像を入力するだけでなく、画像を表示することができる。
【００１７】
よって、上記面状部材は、本発明に係る携帯装置のユーザに対する情報提示などを行うことができる。
【００１８】
したがって、ユーザは、上記面状部材に表示された画像を見ながら、本発明に係る携帯装置を用いることが可能となるので、ユーザにとって、当該装置の操作性および利便性を向上させることができる。
【００１９】
さらに、本発明に係る携帯装置は、上記の構成において、上記下側面状部材における画像の表示を停止させる画像表示制御手段を備える構成としてもよい。
【００２０】
下側面状部材が表示する画像は、もともとユーザからは視認することができない。そこで、画像表示制御手段が下側面状部材における画像の表示を停止させることにより、画像の表示に費やす当該装置の消費電力を削減することが可能となり、ユーザにとって、より利便性に優れた携帯装置を実現することができる。
【００２１】
さらに、本発明に係る携帯装置では、上記の構成において、上記２つの面状部材のうち、上側に位置する面状部材を上側面状部材とした場合、上記画像表示制御手段は、上記下側面状部材において画像表示が停止された後に、当該下側面状部材において表示されるべき下側画像を上記上側面状部材に表示させる構成としてもよい。
【００２２】
また、本発明に係る携帯装置では、上記の構成において、上記上側面状部材は、上記上側面状部材が表示する上側画像と上記下側画像とを、互いに並べて表示する、あるいは重畳するように表示する構成としてもよい。
【００２３】
下側面状部材が表示する画像はユーザにとって視認することはできないが、画像表示制御手段が、上記下側面状部材において画像表示が停止された後に、当該下側面状部材において表示されるべき下側画像を上記上側面状部材に表示させることにより、ユーザは、表面及び裏面に表示される画像を上側面状部材のみで視認することができる。さらに、２つの画面を並べて表示する、あるいは重畳するように表示することにより、ユーザにとって、より利便性に優れた携帯装置を実現することができる。
【００２４】
さらに、本発明に係る携帯装置では、上記の構成において、上記姿勢情報取得手段は、ジャイロセンサ、加速度センサ、歪センサ、あるいは水銀スイッチによって構成されている構成とすることができる。
【００２５】
本発明に係る携帯装置では、上記面状部材が、該面状部材上の各位置における受光量を検出するフォトダイオード群を備えており、該フォトダイオード群が検出した受光量の変化に基づいて上記近傍の像を入力する構成とすることができる。
【発明の効果】
【００２６】
本発明に係る携帯装置は、以上のように、上記筐体の姿勢を示す姿勢情報を取得する姿勢情報取得手段と、重力方向を下方向とした場合、上記姿勢情報取得手段が取得した上記姿勢情報に基づいて、上記筐体を折り返した状態における上記２つの面状部材のうち、下側に位置する下側面状部材を特定する特定手段と、上記特定手段が特定した上記下側面状部材の、近傍の像を入力する機能を無効にする入力無効手段と、を備える構成である。
【００２７】
また、本発明に係る携帯装置の制御方法は、以上のように、上記筐体の姿勢を示す姿勢情報を取得する姿勢情報取得ステップと、重力方向を下方向とした場合、上記姿勢情報取得ステップによって取得された上記姿勢情報に基づいて、上記筐体を折り返した状態における上記２つの面状部材のうち、下側に位置する下側面状部材を特定する特定ステップと、上記特定ステップによって特定された上記下側面状部材の、近傍の像を入力する機能を無効にする入力無効ステップと、を含む方法である。
【００２８】
それゆえ、携帯装置および携帯装置の制御方法では、ユーザが像の入力を必要としていない下側面状部材について、その近傍の像を入力する機能を無効とすることができ、その結果、下側面状部材からの誤入力を防止することができ、当該装置の裏表等の区別なく、手に持った状態においても使用することができ、ユーザの操作性および利便性を向上させることができる。
【発明を実施するための最良の形態】
【００２９】
本発明の一実施形態について図１から図１０に基づいて説明すると以下の通りである。
【００３０】
本実施の形態に係るデータ表示／センサ装置１００（携帯装置）は、２つ折りに折り返し可能な筐体を有し、近傍の像を検知して、その像が入力されるセンサ内蔵液晶パネル３０１（面状部材）が、上記筐体を折り返した状態において表裏両面にそれぞれ配設されている。そして、データ表示／センサ装置１００は、上記筐体の姿勢を示す姿勢情報を取得する姿勢情報取得部８１０（姿勢情報取得手段）と、重力方向を下方向とした場合、姿勢情報取得部８１０が取得した姿勢情報に基づいて、データ表示／センサ装置１００を折り返した状態において上記２つのセンサ内蔵液晶パネル３０１のうち、下側に位置するセンサ内蔵液晶パネル３０１（下側面状部材）を特定する特定部８２０（特定手段）と、を備えている。さらに、データ表示／センサ装置１００は、入力無効部８３０（入力無効手段）を備えており、特定部８２０が特定した下側のセンサ内蔵液晶パネル３０１の近傍の像を入力する機能を無効にすることができる。
【００３１】
そこで、まず、以下で、上記データ表示／センサ装置１００が備えるセンサ内蔵液晶パネル３０１の概要について説明する。
【００３２】
（センサ内蔵液晶パネルの概要）
上記データ表示／センサ装置１００が備えるセンサ内蔵液晶パネル３０１は、データの表示に加え、対象物の画像検出が可能な液晶パネルである。ここで、対象物の画像検出とは、例えば、ユーザが指やペンなどでポインティング（タッチ）した位置の検出や、印刷物等の画像の読み取り（スキャン）である。なお、表示に用いるデバイスは、液晶パネルに限定されるものではなく、有機ＥＬ（Electro Luminescence）パネルなどであってもよい。
【００３３】
図２を参照しながら、センサ内蔵液晶パネル３０１の構造について説明する。図２は、センサ内蔵液晶パネル３０１の断面を模式的に示す図である。なお、ここで説明するセンサ内蔵液晶パネル３０１は一例であり、表示面と読取面とが共用されているものであれば、任意の構造のものが利用できる。
【００３４】
図示のとおり、センサ内蔵液晶パネル３０１は、背面側に配置されるアクティブマトリクス基板５１Ａと、表面側に配置される対向基板５１Ｂとを備え、これら基板の間に液晶層５２を挟持した構造を有している。アクティブマトリクス基板５１Ａには、画素電極５６、データ信号線５７、光センサ回路３２（図示せず）、配向膜５８、偏光板５９などが設けられる。対向基板５１Ｂには、カラーフィルタ５３ｒ（赤）、５３ｇ（緑）、５３ｂ（青）、遮光膜５４、対向電極５５、配向膜５８、偏光板５９などが設けられる。また、センサ内蔵液晶パネル３０１の背面には、バックライト３０７が設けられている。
【００３５】
なお、光センサ回路３２に含まれるフォトダイオード６は、青のカラーフィルタ５３ｂを設けた画素電極５６の近傍に設けられているが、この構成に限定されるものではない。赤のカラーフィルタ５３ｒを設けた画素電極５６の近傍に設けてもよいし、緑のカラーフィルタ５３ｇを設けた画素電極５６の近傍に設けてもよい。
【００３６】
次に、図３（ａ）および図３（ｂ）を参照しながら、ユーザが、指やペンで、センサ内蔵液晶パネル３０１上をタッチした位置を検出する２種類の方法について説明する。
【００３７】
図３（ａ）は、反射像を検知することにより、ユーザがタッチした位置を検出する様子を示す模式図である。バックライト３０７から光６３が出射されると、フォトダイオード６を含む光センサ回路３２は、指などの対象物６４により反射された光６３を検知する。これにより、対象物６４の反射像を検知することができる。このように、センサ内蔵液晶パネル３０１は、反射像を検知することにより、タッチした位置を検出することができる。
【００３８】
また、図３（ｂ）は、影像を検知することにより、ユーザがタッチした位置を検出する様子を示す模式図である。図３（ｂ）に示すように、フォトダイオード６を含む光センサ回路３２は、対向基板５１Ｂなどを透過した外光６１を検知する。しかしながら、ペンなどの対象物６２がある場合は、外光６１の入射が妨げられるので、光センサ回路３２が検知する光量が減る。これにより、対象物６２の影像を検知することができる。このように、センサ内蔵液晶パネル３０１は、影像を検知することにより、タッチした位置を検出することもできる。
【００３９】
上述のように、フォトダイオード６は、バックライト３０７より出射された光の反射光（影像）を検知してもよいし、外光による影像を検知してもよい。また、上記２種類の検知方法を併用して、影像と反射像とを両方を同時に検知するようにしてもよい。
【００４０】
（データ表示／センサ装置の要部構成）
次に、図４を参照しながら、上記データ表示／センサ装置１００の要部構成について説明する。図４は、データ表示／センサ装置１００の要部構成を示すブロック図である。図示のように、データ表示／センサ装置１００は、１または複数の表示／光センサ部３００、回路制御部６００、データ処理部７００、主制御部８００、記憶部９０１、一次記憶部９０２、操作部９０３、外部通信部９０７、音声出力部９０８、および音声入力部９０９を備えている。ここでは、データ表示／センサ装置１００は、表示／光センサ部３００を２つ（第１表示／光センサ部３００Ａおよび第２表示／光センサ部３００Ｂ）備えているものとして説明する。なお、第１表示／光センサ部３００Ａおよび第２表示／光センサ部３００Ｂを区別しないときは、表示／光センサ部３００と表記する。
【００４１】
表示／光センサ部３００は、いわゆる光センサ内蔵液晶表示装置である。表示／光センサ部３００は、センサ内蔵液晶パネル３０１、バックライト３０７、それらを駆動するための周辺回路３０９を含んで構成される。
【００４２】
センサ内蔵液晶パネル３０１は、マトリクス状に配置された複数の画素回路３１および光センサ回路３２を含んで構成される。センサ内蔵液晶パネル３０１の詳細な構成については後述する。
【００４３】
周辺回路３０９は、液晶パネル駆動回路３０４、光センサ駆動回路３０５、信号変換回路３０６、バックライト駆動回路３０８を含む。
【００４４】
液晶パネル駆動回路３０４は、回路制御部６００の表示制御部６０１からのタイミング制御信号（ＴＣ１）およびデータ信号（Ｄ）に従って、制御信号（Ｇ）およびデータ信号（Ｓ）を出力し、画素回路３１を駆動する回路である。画素回路３１の駆動方法の詳細については後述する。
【００４５】
光センサ駆動回路３０５は、回路制御部６００のセンサ制御部６０２からのタイミング制御信号（ＴＣ２）に従って、信号線（Ｒ）に電圧を印加し、光センサ回路３２を駆動する回路である。光センサ回路３２の駆動方法の詳細については後述する。
【００４６】
信号変換回路３０６は、光センサ回路３２から出力されるセンサ出力信号（ＳＳ）をデジタル信号（ＤＳ）に変換し、該変換後の信号をセンサ制御部６０２に送信する回路である。
【００４７】
バックライト３０７は、複数の白色ＬＥＤ（Light Emitting Diode）を含んでおり、センサ内蔵液晶パネル３０１の背面に配置される。そして、バックライト駆動回路３０８から電源電圧が印加されると、バックライト３０７は点灯し、センサ内蔵液晶パネル３０１に光を照射する。なお、バックライト３０７は、白色ＬＥＤに限らず、他の色のＬＥＤを含んでいてもよい。また、バックライト３０７は、ＬＥＤに代えて、例えば、冷陰極管（ＣＣＦＬ：Cold Cathode Fluorescent Lamp）を含むものであってもよい。
【００４８】
バックライト駆動回路３０８は、回路制御部６００のバックライト制御部６０３からの制御信号（ＢＫ）がハイレベルであるときは、バックライト３０７に電源電圧を印加し、逆に、バックライト制御部６０３からの制御信号がローレベルであるときは、バックライト３０７に電源電圧を印加しない。
【００４９】
次に、回路制御部６００について説明する。回路制御部６００は、表示／光センサ部３００の周辺回路３０９を制御するデバイスドライバとしての機能を備えるものである。回路制御部６００は、表示制御部６０１、センサ制御部６０２、バックライト制御部６０３、および表示データ記憶部６０４を備えている。
【００５０】
表示制御部６０１は、データ処理部７００の表示データ処理部７０１から表示データを受信するとともに、表示データ処理部７０１からの指示に従って、表示／光センサ部３００の液晶パネル駆動回路３０４に、タイミング制御信号（ＴＣ１）およびデータ信号（Ｄ）を送信し、上記受信した表示データをセンサ内蔵液晶パネル３０１に表示させる。
【００５１】
なお、表示制御部６０１は、表示データ処理部７０１から受信した表示データを、表示データ記憶部６０４に一次記憶させる。そして、当該一次記憶させた表示データに基づいて、データ信号（Ｄ）を生成する。表示データ記憶部６０４は、例えば、ＶＲＡＭ（video random access memory）などである。
【００５２】
センサ制御部６０２は、データ処理部７００のセンサデータ処理部７０３からの指示に従って、表示／光センサ部３００の光センサ駆動回路３０５に、タイミング制御信号（ＴＣ２）を送信し、センサ内蔵液晶パネル３０１にてスキャンを実行させる。
【００５３】
また、センサ制御部６０２は、信号変換回路３０６からデジタル信号（ＤＳ）を受信する。そして、センサ内蔵液晶パネル３０１に含まれる全ての光センサ回路３２から出力されたセンサ出力信号（ＳＳ）に対応するデジタル信号（ＤＳ）に基づいて、画像データを生成する。つまり、センサ内蔵液晶パネル３０１の読み取り領域全体で読み取った画像データを生成する。そして、該生成した画像データをセンサデータ処理部７０３に送信する。
【００５４】
バックライト制御部６０３は、表示データ処理部７０１およびセンサデータ処理部７０３からの指示に従って、表示／光センサ部３００のバックライト駆動回路３０８に制御信号（ＢＫ）を送信し、バックライト３０７を駆動させる。
【００５５】
なお、データ表示／センサ装置１００が、複数の表示／光センサ部３００を備える場合、表示制御部６０１は、データ処理部７００から、どの表示／光センサ部３００にて表示データを表示するかの指示を受けたとき、当該指示に応じた表示／光センサ部３００の液晶パネル駆動回路３０４を制御する。また、センサ制御部６０２は、データ処理部７００から、どの表示／光センサ部３００にて対象物のスキャンを行なうかの指示を受けたとき、当該指示に応じた表示／光センサ部３００の光センサ駆動回路３０５を制御するとともに、当該指示に応じた表示／光センサ部３００の信号変換回路３０６からデジタル信号（ＤＳ）を受信する。
【００５６】
次に、データ処理部７００について説明する。データ処理部７００は、主制御部８００から受信する「コマンド」に基づいて、回路制御部６００に指示を与えるミドルウェアとしての機能を備えるものである。なお、コマンドの詳細については後述する。
【００５７】
データ処理部７００は、表示データ処理部７０１およびセンサデータ処理部７０３を備えている。そして、データ処理部７００が、主制御部８００からコマンドを受信すると、該受信したコマンドに含まれる各フィールド（後述する）の値に応じて、表示データ処理部７０１およびセンサデータ処理部７０３の少なくとも一方が動作する。
【００５８】
表示データ処理部７０１は、主制御部８００から表示データを受信するとともに、データ処理部７００が受信したコマンドに従って、表示制御部６０１およびバックライト制御部６０３に指示を与え、上記受信した表示データをセンサ内蔵液晶パネル３０１に表示させる。なお、コマンドに応じた、表示データ処理部７０１の動作については、後述する。
【００５９】
センサデータ処理部７０３は、データ処理部７００が受信したコマンドに従って、センサ制御部６０２およびバックライト制御部６０３に指示を与える。
【００６０】
また、センサデータ処理部７０３は、センサ制御部６０２から画像データを受信し、当該画像データをそのまま画像データバッファ７０４に格納する。そして、センサデータ処理部７０３は、データ処理部７００が受信したコマンドに従って、画像データバッファ７０４に記憶されている画像データに基づいて、「全体画像データ」、「部分画像データ（部分画像の座標データを含む）」、および「座標データ」の少なくともいずれか１つを、主制御部８００に送信する。なお、全体画像データ、部分画像データ、および座標データについては、後述する。また、コマンドに応じた、センサデータ処理部７０３の動作については、後述する。
【００６１】
次に、主制御部８００は、アプリケーションプログラムを実行するものである。主制御部８００は、記憶部９０１に格納されているプログラムを、例えばＲＡＭ（Random Access Memory）等で構成される一次記憶部９０２に読み出して実行する。
【００６２】
主制御部８００で実行されるアプリケーションプログラムは、センサ内蔵液晶パネル３０１に表示データを表示させたり、センサ内蔵液晶パネル３０１にて対象物のスキャンを行わせるために、データ処理部７００に対して、コマンドおよび表示データを送信する。また、コマンドに「データ種別」を指定した場合は、当該コマンドの応答として、全体画像データ、部分画像データ、および座標データの少なくともいずれか１つを、データ処理部７００から受信する。
【００６３】
なお、回路制御部６００、データ処理部７００、および主制御部８００は、それぞれ、ＣＰＵ（Central Processing Unit）およびメモリ等で構成することができる。また、データ処理部７００は、ＡＳＩＣ（application specific integrate circuit）などの回路で構成されていてもよい。
【００６４】
次に、記憶部９０１は、図示のように、主制御部８００が実行するプログラムおよびデータを格納するものである。なお、主制御部８００が実行するプログラムは、アプリケーション固有のプログラムと、各アプリケーションが共用可能な汎用プログラムとに分離されていてもよい。
【００６５】
次に、操作部９０３は、データ表示／センサ装置１００のユーザの入力操作を受けつけるものである。操作部９０３は、例えば、スイッチ、リモコン、マウス、キーボードなどの入力デバイスで構成される。そして、操作部９０３は、データ表示／センサ装置１００のユーザの入力操作に応じた制御信号を生成し、該生成した制御信号を主制御部８００へ送信する。
【００６６】
なお、上記スイッチの例としては、筐体のヒンジ部分に設けられ、筐体の開閉状態を検出するヒンジ部スイッチ９０４、電源のオンとオフとを切り替える電源スイッチ９０５、予め所定の機能が割り当てられているユーザスイッチ９０６などのハードウェアスイッチを想定している。
【００６７】
その他、データ表示／センサ装置１００は、無線／有線通信によって外部装置と通信を行なうための外部通信部９０７、音声を出力するためのスピーカ等の音声出力部９０８、音声信号を入力するためのマイク等の音声入力部９０９などを適宜備えていてもよい。
【００６８】
（コマンドの詳細）
次に、図５および図６を参照しながら、主制御部８００からデータ処理部７００に送信されるコマンドの詳細について説明する。図５は、コマンドのフレーム構造の一例を模式的に示す図である。また、図６は、コマンドに含まれる各フィールドに指定可能な値の一例、および、その概要を説明する図である。
【００６９】
図５に示すように、コマンドは、「ヘッダ」、「データ取得タイミング」、「データ種別」、「スキャン方式」、「スキャン画像階調」、「スキャン解像度」、「スキャンパネル」、「表示パネル」、および「予備」の各フィールドを含んでいる。そして、各フィールドには、例えば、図６に示す値が指定可能である。
【００７０】
「ヘッダ」フィールドは、フレームの開始を示すフィールドである。「ヘッダ」フィールドであることが識別可能であれば、「ヘッダ」フィールドの値は、どのような値であってもよい。
【００７１】
次に、「データ取得タイミング」フィールドは、データを主制御部８００へ送信すべきタイミングを指定するフィールドである。「データ取得タイミング」フィールドには、例えば、“00”（センス）、“01”（イベント）、および“10”（オール）という値が指定可能である。
【００７２】
ここで、“センス”は、最新のデータを直ちに送信することを指定するものである。よって、センサデータ処理部７０３は、「データ取得タイミング」フィールドの値が“センス”であるコマンドを受信すると、「データ種別」フィールドにて指定されている最新のデータを、直ちに、主制御部８００に送信する。
【００７３】
また、“イベント”は、センサ制御部６０２から受信する画像データに変化が生じたタイミングで送信すること指定するものである。よって、センサデータ処理部７０３は、「データ取得タイミング」フィールドの値が“イベント”であるコマンドを受信すると、「データ種別」フィールドにて指定されているデータを、センサ制御部６０２から受信する画像データに、所定の閾値より大きい変化が生じたタイミングで、主制御部８００に送信する。
【００７４】
また、“オール”は、所定周期でデータを送信すること指定するものである。よって、センサデータ処理部７０３は、「データ取得タイミング」フィールドの値が“オール”であるコマンドを受信すると、「データ種別」フィールドにて指定されているデータを、所定周期で、主制御部８００に送信する。なお、上記所定周期は、光センサ回路３２にてスキャンを行なう周期と一致する。
【００７５】
次に、「データ種別」フィールドは、センサデータ処理部７０３から取得するデータの種別を指定するフィールドである。なお、「データ種別」フィールドには、例えば、“001”（座標）、“010”（部分画像）、および“100”（全体画像）という値が指定可能である。さらに、これらの値を加算することによって、“座標”と、“部分画像”／“全体画像”とを、同時に指定可能である。例えば、“座標”と“部分画像”とを同時に指定する場合、“011”と指定することができ、“座標”と“全体画像”とを同時に指定する場合、“101”と指定することができる。
【００７６】
センサデータ処理部７０３は、「データ種別」フィールドの値が“全体画像”であるコマンドを受信すると、画像データバッファ７０４に記憶している画像データそのものを主制御部８００に送信する。画像データバッファ７０４に記憶している画像データそのものを、「全体画像データ」と称する。
【００７７】
また、センサデータ処理部７０３は、「データ種別」フィールドの値が“部分画像”であるコマンドを受信すると、センサ制御部６０２から受信する画像データから、所定の閾値より大きい変化が生じた部分を含む領域を抽出し、該抽出した領域の画像データを主制御部８００に送信する。ここで、当該画像データを、「部分画像データ」と称する。なお、上記部分画像データが複数抽出された場合、センサデータ処理部７０３は、該抽出されたそれぞれの部分画像データを主制御部８００に送信する。
【００７８】
さらに、センサデータ処理部７０３は、「データ種別」フィールドの値が“部分画像”であるコマンドを受信したとき、部分画像データにおける代表座標を検出し、当該代表座標の部分画像データにおける位置を示す座標データを主制御部８００に送信する。なお、上記代表座標とは、例えば、上記部分画像データの中心の座標、上記部分画像データの重心の座標などが挙げられる。
【００７９】
次に、センサデータ処理部７０３は、「データ種別」フィールドの値が“座標”であるコマンドを受信すると、上記代表座標の全体画像データにおける位置を示す座標データを主制御部８００に送信する。なお、上記部分画像データが複数抽出された場合、センサデータ処理部７０３は、該抽出された、それぞれの部分画像データの、全体画像データにおける代表座標を検出し、当該代表座標を示す座標データのそれぞれを主制御部８００に送信する（多点検出）。
【００８０】
なお、全体画像データ、部分画像データ、および座標データの具体例については、模式図を参照しながら後述する。
【００８１】
次に、「スキャン方式」フィールドは、スキャン実行時に、バックライト３０７を点灯するか否かを指定するフィールドである。「スキャン方式」フィールドには、例えば、“00”（反射）、“01”（透過）、および“10”（反射／透過）という値が指定可能である。
【００８２】
“反射”は、バックライト３０７を点灯した状態でスキャンを行なうこと指定するものである。よって、センサデータ処理部７０３は、「スキャン方式」フィールドの値が“反射”であるコマンドを受信すると、光センサ駆動回路３０５とバックライト駆動回路３０８とが同期して動作するように、センサ制御部６０２とバックライト制御部６０３とに指示を与える。
【００８３】
また、“透過”は、バックライト３０７を消灯した状態でスキャンを行なうことを指定するものである。よって、センサデータ処理部７０３は、「スキャン方式」フィールドの値が“透過”であるコマンドを受信すると、光センサ駆動回路３０５を動作させ、バックライト駆動回路３０８と動作させないようにセンサ制御部６０２とバックライト制御部６０３とに指示を与える。なお、“反射／透過”は、“反射”と“透過”とを併用してスキャンを行なうことを指定するものである。
【００８４】
次に、「スキャン画像階調」フィールドは、部分画像データおよび全体画像データの階調を指定するフィールドである。「スキャン画像階調」フィールドには、例えば、“00”（２値）、および“01”（多値）という値が指定可能である。
【００８５】
ここで、センサデータ処理部７０３は、「スキャン画像階調」フィールドの値が“２値”であるコマンドを受信すると、部分画像データおよび全体画像データをモノクロデータとして、主制御部８００に送信する。
【００８６】
また、センサデータ処理部７０３は、「スキャン画像階調」フィールドの値が“多値”であるコマンドを受信すると、部分画像データおよび全体画像データを多階調データとして、主制御部８００に送信する。
【００８７】
次に、「スキャン解像度」フィールドは、部分画像データおよび全体画像データの解像度を指定するフィールドである。「スキャン解像度」フィールドには、例えば、“0”（高）および“1”（低）という値が指定可能である。
【００８８】
ここで、“高”は、高解像度を指定するものである。よって、センサデータ処理部７０３は、「スキャン解像度」フィールドの値が“高”であるコマンドを受信すると、部分画像データおよび全体画像データを高解像度で主制御部８００に送信する。例えば、画像認識などの画像処理を行なう対象の画像データ（指紋などの画像データ）には、“高”を指定することが望ましい。
【００８９】
また、“低”は、低解像度を指定するものである。よって、センサデータ処理部７０３は、「スキャン解像度」フィールドの値が“低”であるコマンドを受信すると、部分画像データおよび全体画像データを低解像度で主制御部８００に送信する。例えば、タッチした位置等が分かる程度でよい画像データ（タッチした指や手の画像データなど）には、“低”を指定することが望ましい。
【００９０】
次に、「スキャンパネル」フィールドは、どの表示／光センサ部３００にて対象物のスキャンを行なうかを指定するフィールドである。「スキャンパネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【００９１】
ここで、センサデータ処理部７０３は、「スキャンパネル」フィールドの値が“第１表示／光センサ部３００Ａ”であるコマンドを受信すると、第１表示／光センサ部３００Ａの光センサ駆動回路３０５およびバックライト駆動回路３０８を制御するように、センサ制御部６０２およびバックライト制御部６０３に指示を与える。
【００９２】
次に、「表示パネル」フィールドは、どの表示／光センサ部３００にて表示データを表示させるかを指定するフィールドである。「表示パネル」フィールドには、例えば、“001”（第１表示／光センサ部３００Ａ）、“010”（第２表示／光センサ部３００Ｂ）という値が指定可能である。なお、これらの値を加算することによって、複数の表示／光センサ部３００を同時に指定可能である。例えば、“第１表示／光センサ部３００Ａ”と“第２表示／光センサ部３００Ｂ”とを同時に指定する場合、“011”と指定することができる。
【００９３】
ここで、表示データ処理部７０１は、例えば、「表示パネル」フィールドの値が“第１表示／光センサ部３００Ａ”であるコマンドを受信すると、第１表示／光センサ部３００Ａに表示データを表示させるために、第１表示／光センサ部３００Ａの液晶パネル駆動回路３０４およびバックライト駆動回路３０８を制御するように、表示制御部６０１およびバックライト制御部６０３に指示を与える。
【００９４】
次に、「予備」フィールドは、上述したフィールドにて指定可能な情報以外の情報をさらに指定する必要がある場合に、適宜指定されるフィールドである。
【００９５】
なお、主制御部８００にて実行されるアプリケーションは、コマンドを送信するにあたり、上述したフィールドを全て使用する必要はなく、使用しないフィールドには無効値（ＮＵＬＬ値など）を設定しておけばよい。
【００９６】
また、ユーザが指やペンなどでタッチした位置の座標データを取得したいときは、「データ種別」フィールドに“座標”を指定したコマンドをデータ処理部７００に送信することとなるが、指やペンなどは動きがあるため、さらに、当該コマンドの「データ取得タイミング」フィールドに“オール”を指定し、座標データを取得するようにすることが望ましい。また、タッチした位置の座標データが取得できればよいため、スキャンの精度は高くなくてもよい。したがって、上記コマンドの「スキャン解像度」フィールドの値は“低”を指定しておけばよい。
【００９７】
また、コマンドの「データ種別」フィールドに“座標”を指定した場合において、例えば、ユーザが、複数の指やペンなどでセンサ内蔵液晶パネル３０１を同時にタッチした場合は、該タッチした位置の座標データのそれぞれを取得することができる（多点検出）。
【００９８】
また、原稿などの対象物の画像データを取得する場合、「データ種別」フィールドに“全体画像”を指定したコマンドをデータ処理部７００に送信することとなるが、原稿などの対象物は、通常、静止させた状態でスキャンを実行することが一般的であるため、周期的にスキャンを実行する必要はない。従って、この場合は、「データ取得タイミング」フィールドに“センス”または“イベント”を指定することが望ましい。なお、原稿などの対象物をスキャンするときは、ユーザが文字を読みやすいように、スキャン精度は高い方が望ましい。したがって、「スキャン解像度」フィールドには“高”を指定することが望ましい。
【００９９】
（全体画像データ／部分画像データ／座標データ）
次に、図７を参照しながら、全体画像データ、部分画像データ、および座標データについて、例を挙げて説明する。図７（ａ）に示す画像データは、対象物がセンサ内蔵液晶パネル３０１上に置かれていないときに、センサ内蔵液晶パネル３０１全体をスキャンした結果として得られる画像データである。また、図７（ｂ）に示す画像データは、ユーザが指でセンサ内蔵液晶パネル３０１をタッチしているときに、センサ内蔵液晶パネル３０１全体をスキャンした結果として得られる画像データである。
【０１００】
ユーザが指でセンサ内蔵液晶パネル３０１をタッチしたとき、当該タッチした近傍の光センサ回路３２が受光する光量が変化するため、当該光センサ回路３２が出力する電圧に変化が生じ、その結果として、センサ制御部６０２が生成する画像データのうち、ユーザがタッチした部分の画素値の明度に変化が生じることとなる。
【０１０１】
図７（ｂ）に示す画像データでは、図７（ａ）に示す画像データと比べると、ユーザの指に該当する部分の画素値の明度が高くなっている。そして、図７（ｂ）に示す画像データにおいて、明度が所定の閾値より大きく変化している画素値を全て含む最小の矩形領域（領域ＰＰ）が、“部分画像データ”である。
【０１０２】
なお、領域ＡＰで示される画像データが、“全体画像データ”である。
【０１０３】
また、部分画像データ（領域ＰＰ）の代表座標Ｚの、全体画像データ（領域ＡＰ）における座標データは（Ｘａ,Ｙａ）であり、部分画像データ（領域ＰＰ）における座標データは（Ｘｐ,Ｙｐ）である。
【０１０４】
（センサ内蔵液晶パネルの構成）
次に、図８を参照しながら、センサ内蔵液晶パネル３０１の構成、および、センサ内蔵液晶パネル３０１の周辺回路３０９の構成について説明する。図８は、表示／光センサ部３００の要部、特に、センサ内蔵液晶パネル３０１の構成および周辺回路３０９の構成を示すブロック図である。
【０１０５】
センサ内蔵液晶パネル３０１は、光透過率（輝度）を設定するための画素回路３１、および、自身が受光した光の強度に応じた電圧を出力する光センサ回路３２を備えている。なお、画素回路３１は、赤色、緑色、青色のカラーフィルタのそれぞれに対応するＲ画素回路３１ｒ、Ｇ画素回路３１ｇ、Ｂ画素回路３１ｂの総称として用いる。
【０１０６】
画素回路３１は、センサ内蔵液晶パネル３０１上の列方向（縦方向）にｍ個、行方向（横方向）に３ｎ個配置される。そして、Ｒ画素回路３１ｒ、Ｇ画素回路３１ｇ、およびＢ画素回路３１ｂの組が、行方向（横方向）に連続して配置される。この組が１つの画素を形成する。
【０１０７】
画素回路３１の光透過率を設定するには、まず、画素回路３１に含まれるＴＦＴ（Thin Film Transistor）３３のゲート端子に接続される走査信号線Ｇiにハイレベル電圧（ＴＦＴ３３をオン状態にする電圧）を印加する。その後、Ｒ画素回路３１ｒのＴＦＴ３３のソース端子に接続されているデータ信号線ＳＲｊに、所定の電圧を印加する。同様に、Ｇ画素回路３１ｇおよびＢ画素回路３１ｂについても、光透過率を設定する。そして、これらの光透過率を設定することにより、センサ内蔵液晶パネル３０１上に画像が表示される。
【０１０８】
次に、光センサ回路３２は、一画素毎に配置される。なお、Ｒ画素回路３１ｒ、Ｇ画素回路３１ｇ、およびＢ画素回路３１ｂのそれぞれの近傍に１つずつ配置されてもよい。
【０１０９】
光センサ回路３２にて光の強度に応じた電圧を出力させるためには、まず、コンデンサ３５の一方の電極に接続されているセンサ読み出し線ＲＷiと、フォトダイオード６のアノード端子に接続されているセンサリセット線ＲＳiとに所定の電圧を印加する。この状態において、フォトダイオード６に光が入射されると、入射した光量に応じた電流がフォトダイオード６に流れる。そして、当該電流に応じて、コンデンサ３５の他方の電極とフォトダイオード６のカソード端子との接続点（以下、接続ノードＶ）の電圧が低下する。そして、センサプリアンプ３７のドレイン端子に接続される電圧印加線ＳＤｊに電源電圧ＶＤＤを印加すると、接続ノードＶの電圧は増幅され、センサプリアンプ３７のソース端子からセンシングデータ出力線ＳＰｊに出力される。そして、当該出力された電圧に基づいて、光センサ回路３２が受光した光量を算出することができる。
【０１１０】
次に、センサ内蔵液晶パネル３０１の周辺回路である、液晶パネル駆動回路３０４、光センサ駆動回路３０５、およびセンサ出力アンプ４４について説明する。
【０１１１】
液晶パネル駆動回路３０４は、画素回路３１を駆動するための回路であり、走査信号線駆動回路３０４１およびデータ信号線駆動回路３０４２を含んでいる。
【０１１２】
走査信号線駆動回路３０４１は、表示制御部６０１から受信したタイミング制御信号ＴＣ１に基づいて、１ライン時間毎に、走査信号線Ｇ１〜Ｇｍの中から１本の走査信号線を順次選択し、該選択した走査信号線にハイレベル電圧を印加するとともに、その他の走査信号線にローレベル電圧を印加する。
【０１１３】
データ信号線駆動回路３０４２は、表示制御部６０１から受信した表示データＤ（ＤＲ、ＤＧ、およびＤＢ）に基づいて、１ライン時間毎に、１行分の表示データに対応する所定の電圧を、データ信号線ＳＲ１〜ＳＲｎ、ＳＧ１〜ＳＧｎ、ＳＢ１〜ＳＢｎに印加する（線順次方式）。なお、データ信号線駆動回路３０４２は、点順次方式で駆動するものであってもよい。
【０１１４】
光センサ駆動回路３０５は、光センサ回路３２を駆動するための回路である。光センサ駆動回路３０５は、センサ制御部６０２から受信したタイミング制御信号ＴＣ２に基づいて、センサ読み出し信号線ＲＷ１〜ＲＷｍの中から、１ライン時間毎に１本ずつ選択したセンサ読み出し信号線に所定の読み出し用電圧を印加するとともに、その他のセンサ読み出し信号線には、所定の読み出し用電圧以外の電圧を印加する。また、同様に、タイミング制御信号ＴＣ２に基づいて、センサリセット信号線ＲＳ１〜ＲＳｍの中から、１ライン時間毎に１本ずつ選択したセンサリセット信号線に所定のリセット用電圧を印加するとともに、その他のセンサリセット信号線には、所定のリセット用電圧以外の電圧を印加する。
【０１１５】
センシングデータ出力信号線ＳＰ１〜ＳＰｎはｐ個（ｐは１以上ｎ以下の整数）のグループにまとめられ、各グループに属するセンシングデータ出力信号線は、時分割で順次オン状態になるスイッチ４７を介して、センサ出力アンプ４４に接続される。センサ出力アンプ４４は、スイッチ４７により接続されたセンシングデータ出力信号線のグループからの電圧を増幅し、センサ出力信号ＳＳ（ＳＳ１〜ＳＳｐ）として、信号変換回路３０６へ出力する。
【０１１６】
（発明の要点）
本発明の主な特徴は、データ表示／センサ装置１００が、２つ折りに折り返し可能な筐体を有し、近傍の像を入力するセンサ内蔵液晶パネル３０１が、上記筐体を折り返した状態における表裏両面にそれぞれ配設されており、データ表示／センサ装置１００は、上記筐体の姿勢を示す姿勢情報を取得する姿勢情報取得部８１０と、重力方向を下方向とした場合、上記筐体を折り返した状態で、姿勢情報取得部８１０が取得した上記姿勢情報に基づいて、上記２つのセンサ内蔵液晶パネル３０１のうち下側に位置するセンサ内蔵液晶パネル３０１を特定する特定部８２０と、を備え、さらに、データ表示／センサ装置１００は、入力無効部８３０を備えており、特定部８２０が特定した上記下側のセンサ内蔵液晶パネル３０１の近傍の像を入力する機能を無効にする点にある。
【０１１７】
これにより、データ表示／センサ装置１００は、ユーザが像の入力を必要としていないセンサ内蔵液晶パネル３０１について、その近傍の像を入力する機能を無効とすることができ、その結果、センサ内蔵液晶パネル３０１からの誤入力を防止することができる。そして、姿勢情報取得部８１０および特定部８２０によって下側に位置するセンサ内蔵液晶パネル３０１を容易に特定できるため、従来のように、装置の裏表を認識するために、カバーケース等の他の物品を使用する必要がない。しかも、上記構成を備えることにより、折り返す面を予め決めておく必要がなく、表面及び両面を均等に使用することができる。
【０１１８】
従って、データ表示／センサ装置１００は、当該装置の裏表等の区別なく、手に持った状態においても使用することができ、ユーザにとって、当該装置の操作性および利便性を向上させることができる。
【０１１９】
なお、姿勢情報取得部８１０等の各機能の詳細は、後述の図１にて詳細に説明する。
【０１２０】
また、データ表示／センサ装置１００はセンサ内蔵液晶パネル３０１を２つ備えており、２つのセンサ内蔵液晶パネル３０１はそれぞれ、第１表示／光センサ部３００Ａと第２表示／光センサ部３００Ｂとに含まれるものとして説明する。また、ここでは、第１表示／光センサ部３００Ａと第２表示／光センサ部３００Ｂとがヒンジ構造によって接続されており、第１表示／光センサ部３００Ａと第２表示／光センサ部３００Ｂとを折り畳んだ状態からの動作、又は折り畳んだ状態へ向かう動作により、図４に記載されたヒンジ部スイッチ９０４が作動するものとする。ただし、当該ヒンジ部スイッチ９０４を設けない場合は、ヒンジ部スイッチ９０４は存在しない構成とすることも可能である。
【０１２１】
（データ表示／センサ装置を用いて検知機能を無効にする様子）
次に、図９（ａ）〜（ｃ）を参照しながら、データ表示／センサ装置１００が、センサ内蔵液晶パネル３０１の近傍の像を入力する機能を無効にする処理の典型例について説明する。なお、ここでは、処理の概要について説明し、各処理の詳細については後述する。
【０１２２】
図９（ａ）は、データ表示／センサ装置１００の、第１表示／光センサ部３００Ａ及び第２表示／光センサ部３００Ｂを折り畳んだ状態を示す。このとき、図示しないセンサ内蔵液晶パネル３０１が、第１表示／光センサ部３００Ａ及び第２表示／光センサ部３００Ｂの対向する内面に、それぞれ配設されている。なお、以下では、図面下側を重力方向として説明する。
【０１２３】
図９（ｂ）は、図９（ａ）の状態から、第１表示／光センサ部３００Ａ及び第２表示／光センサ部３００Ｂを開けた状態（完全に折り畳んだ状態になっていない状態、あるいは完全に折り返した状態になっていない状態）を示す。このとき、第１表示／光センサ部３００Ａ及び第２表示／光センサ部３００Ｂのセンサ内蔵液晶パネル３０１には、それぞれ画像（便宜的に、斜線・横線で図示）が表示されている。
【０１２４】
図９（ｃ）は、図９（ｂ）の状態から、さらに第１表示／光センサ部３００Ａ及び第２表示／光センサ部３００Ｂを開け、最終的に第１表示／光センサ部３００Ａ及び第２表示／光センサ部３００Ｂを折り返した様子を示す。このとき、第１表示／光センサ部３００Ａのセンサ内蔵液晶パネル３０１が上方向（重力方向と反対方向）を向き、第２表示／光センサ部３００Ｂのセンサ内蔵液晶パネル３０１が下方向を向いている。
【０１２５】
この図９（ｃ）の状態で、図９（ｂ）において第２表示／光センサ部３００Ｂのセンサ内蔵液晶パネル３０１に表示されていた画像（横線）が、第１表示／光センサ部３００Ａのセンサ内蔵液晶パネル３０１に表示される。また、図９（ｃ）の状態では、第２表示／光センサ部３００Ｂが近傍の像を入力する機能は無効となっており、第２表示／光センサ部３００Ｂは当該検知機能を動作させることができない。
【０１２６】
このように、データ表示／センサ装置１００では、ユーザが第１表示／光センサ部３００Ａ及び第２表示／光センサ部３００Ｂを折り返した状態において、姿勢情報取得部８１０が取得したデータ表示／センサ装置１００の姿勢を示す姿勢情報に基づいて、特定部８２０が、何れの表示／光センサ部３００が下側に位置するかを特定したことをトリガにして、下側に位置する表示／光センサ部３００の、近傍の画像を入力する機能を無効にする。さらに、上記トリガに基づいて、下側に位置する表示／光センサ部３００に表示された画像が、上側に位置する表示／光センサ部３００に表示される。
【０１２７】
なお、図９（ｃ）では、第２表示／光センサ部３００Ｂが下側にあるものとして説明しているが、第１表示／光センサ部３００Ａが下側にあっても同様の効果を奏する。そして、姿勢情報取得部８１０は、第１表示／光センサ部３００Ａあるいは第２表示／光センサ部３００Ｂの何れに配設されていてもよく、どちらの表示／光センサ部３００に姿勢情報取得部８１０を配設するかは適宜選択することができる。さらに、図９（ｃ）において、下側に位置する表示／光センサ部３００に表示されていた画像を、上側に位置する表示／光センサ部３００に表示するものとして説明したが、当該画像を上側の表示／光センサ部３００に表示しない構成とすることも可能である。但し、二画面に表示されていた画像を一画面に表示することにより、より利便性に富んだデータ表示／センサ装置１００をユーザに提供することができる。
【０１２８】
（データ表示／センサ装置のより詳細な構成）
次に、図１を参照しながら、データ表示／センサ装置１００のより詳細な構成について説明する。なお、ここでは、説明を分かりやすくするために、主制御部８００と表示／光センサ部３００との間に位置するデータ処理部７００および回路制御部６００の動作については説明を省略する。ただし、正確には、画像の表示および画像の入力を行うにあたり、主制御部８００の各部が、データ処理部７００にコマンドを送信し、データ処理部７００がコマンドに基づいて回路制御部６００を制御し、回路制御部６００が表示／光センサ部３００に対して信号を送信する。また、主制御部８００は、データ処理部７００に対して送信したコマンドに対する応答として、データ処理部７００から、全体画像データ、部分画像データ、および座標データを取得する。
【０１２９】
図１は、データ表示／センサ装置１００のより詳細な構成を示すブロック図である。図示のように、主制御部８００は、姿勢情報取得部８１０、特定部８２０、入力無効部８３０、及び画像表示制御部（画像表示制御手段）８４０を備えている。
【０１３０】
姿勢情報取得部８１０は、データ表示／センサ装置１００の姿勢を示す姿勢情報を取得し、その姿勢情報を特定部８２０に出力する。
【０１３１】
姿勢情報取得部８１０の一例としては、物体の角速度の変化を検出し、検出された角速度を電気信号に変えて出力するジャイロセンサ、単位時間当たりの速度の変化を検出し、検出された速度を電気信号に変えて出力する加速度センサ、機械的な寸法の微小な変化（ひずみ）を電気信号として検出し、力、圧力、加速度、振動、変位、トルクなどのセンサの受感素子としても応用されている歪センサ、あるいは、ガラス管内の水銀の動きを利用して、転倒や傾きを検知する水銀スイッチを挙げることができる。さらに、上記いくつかのセンサを組み合わせた３軸又は６軸センサなども可能である。
【０１３２】
特定部８２０は、重力方向を下方向とした場合、データ表示／センサ装置１００の第１表示／光センサ部３００Ａ及び第２表示／光センサ部３００Ｂを折り返した状態で、姿勢情報取得部８１０が取得したデータ表示／センサ装置１００の姿勢を示す姿勢情報に基づいて、第１表示／光センサ部３００Ａ又は第２表示／光センサ部３００Ｂのうち下側に位置する表示／光センサ部３００を特定する。従って、例えば姿勢情報取得部８１０としてジャイロセンサを使用した場合には、ジャイロセンサが、検出した角速度を示す電気信号を、重心方向に対するデータ表示／センサ装置１００の傾斜状態（姿勢）を示す姿勢情報として取得し、特定部８２０にその姿勢情報を出力する。次に、特定部８２０が、その姿勢情報に基づいて、第１表示／光センサ部３００Ａ又は第２表示／光センサ部３００Ｂのうち下側に位置する表示／光センサ部３００を特定する。
【０１３３】
そして、特定部８２０は、下側に位置する表示／光センサ部３００を示す位置特定情報を、後述の入力無効部８３０、及び画像表示制御部８４０に出力する。
【０１３４】
入力無効部８３０は、特定部８２０が特定した第１表示／光センサ部３００Ａ又は第２表示／光センサ部３００Ｂのうち、下側に位置する表示／光センサ部３００の、近傍の像を入力する機能を無効にする役割を有する。入力機能を無効にする手段としては、主制御部８００で実行されるアプリケーションが、上側に位置する表示／光センサ部３００のみに関するコマンドを送信する方法が考えられる。具体的には、第１表示／光センサ部３００Ａが上側に位置する場合、主制御部８００は、コマンドの「スキャンパネル」フィールドにおいて、（”001”）を指定したコマンドをデータ処理部７００に送信する。このとき、主制御部８００は、コマンドの「スキャンパネル」フィールドにおいて、（”010”）を指定したコマンドをデータ処理部７００に送信しないようにする。
【０１３５】
また、入力機能を無効にする手段として、主制御部８００がデータ処理部７００に送信するコマンドの「予備」フィールドにおいて、例えば、“第１表示／光センサ部における検知（入力）を無効とする”といった新たなコマンドを設ける方法が考えられる。さらに、コマンドではなく、入力に必要な電源の供給を停止するような制御を行う、といった方法も考えられる。このような方法によって、入力無効部８３０からデータ処理部７００へ、下側に位置する表示／光センサ部３００の近傍の像を入力する機能を無効にすることを示す入力無効情報が出力される。
【０１３６】
画像表示制御部８４０は、特定部８２０が特定した第１表示／光センサ部３００Ａ又は第２表示／光センサ部３００Ｂのうち、下側に位置する表示／光センサ部３００を示す位置特定情報に基づいて、当該下側に位置する表示／光センサ部３００における画像の表示を停止させる。あるいは、画像表示制御部８４０は、当該下側に位置する表示／光センサ部３００における画像を、他の表示／光センサ部３００に表示するよう表示データを制御して、データ処理部７００へ表示データを送信する。
【０１３７】
なお、下側に位置する表示／光センサ部３００に表示されていた画像（画面）を、上側に位置する表示／光センサ部３００に表示する（二画面を一画面に表示する）場合、例えば図９（ｃ）のように、画面を左右に並べてもよいし、あるいは、上下に並べてもよい。または、二画面を重畳するように表示する構成であってもよく、表示方法は適宜選択することができる。また、下側に位置する表示／光センサ部３００において画像表示が停止された後に、下側に位置する表示／光センサ部３００に表示されるべき画像を上側に位置する表示／光センサ部３００に、画面を左右に並べて、あるいは、上下に並べて表示することも可能である。ここで、下側に位置する表示／光センサ部３００に表示されるべき画像とは、第１表示／光センサ部３００Ａ又は第２表示／光センサ部３００Ｂのうち下側に位置する表示／光センサ部３００であると特定部８２０が特定した表示／光センサ部３００であって、「表示パネル」フィールドで“001”（第１表示／光センサ部３００Ａ）、あるいは“010”（第２表示／光センサ部３００Ｂ）という値が指定されていた表示／光センサ部３００において、その画面に表示されるべき画像のことをいう。
【０１３８】
また、画像表示制御部８４０が画像の表示を停止させる場合、あるいは、画像表示制御部８４０が二画面を一画面に表示させる場合、主制御部８００で実行されるアプリケーションが、下側に位置する表示／光センサ部３００のバックライトの明るさを制御するコマンドを送信する構成としてもよい。
【０１３９】
（フローチャート説明）
次に、図９（ａ）〜（ｃ）、図１０を参照しながら、データ表示／センサ装置１００の処理の流れと、主制御部８００からデータ処理部７００に送信されるコマンドの詳細とについて説明する。
【０１４０】
図１０は、データ表示／センサ装置１００の処理の流れを表すフローチャートである。
【０１４１】
まず、データ表示／センサ装置１００の電源がオフの状態にあるとき、ユーザが電源スイッチ９０５を押下することにより、データ表示／センサ装置１００は電源をオンにする（ステップＳ１１）。
【０１４２】
そして、画像表示制御部８４０は、ユーザの操作（例えばユーザスイッチ９０６を押下するなど）を検出することにより、センサ内蔵液晶パネル３０１に表示するための表示データを生成し、該生成した表示データをデータ処理部７００に出力する（ステップＳ１２）。なお、ここでは、表示画像は、第１表示／光センサ部３００Ａおよび第２表示／光センサ部３００Ｂの両方に表示されるものとする。
【０１４３】
画像表示制御部８４０は、第１表示／光センサ部３００Ａに画像を表示させる場合は、「表示パネル」フィールドの値として上画面（”001”）を指定したコマンドを、データ処理部７００に出力する。また、画像表示制御部８４０は、第２表示／光センサ部３００Ｂに画像を表示させる場合は、「表示パネル」フィールドの値として下画面（”010”）を指定したコマンドを、データ処理部７００に出力する。ここでは、画像を第１表示／光センサ部３００Ａ及び第２表示／光センサ部３００Ｂに表示させるため、画像表示制御部８４０は、「表示パネル」フィールドの値として両画面（”011”）を指定したコマンドを、データ処理部７００に出力する。
【０１４４】
これにより、図９（ｂ）に示すように、画像表示制御部８４０は、２つのセンサ内蔵液晶パネル３０１に画像を表示させる（ステップＳ１２）。
【０１４５】
なお、画像表示制御部８４０は、電源スイッチ９０５の押下を検出することにより、画像をセンサ内蔵液晶パネル３０１に表示させてもよい。
【０１４６】
また、この段階では、表示／光センサ部３００は近傍の像を入力可能な状態にあるものとする。上記入力を行うために、画像表示制御部８４０は、画像をセンサ内蔵液晶パネル３０１に表示させるための表示データを、データ処理部７００に出力したとき、併せて、「データ取得タイミング」フィールドに、“イベント”を指定し、「データ種別」フィールドに“座標”および“全体画像”の両方を指定（“101”を指定）したコマンドをデータ処理部７００に出力する。
【０１４７】
これにより、センサ内蔵液晶パネル３０１が近傍の像を入力した場合に、主制御部８００は、データ処理部７００から座標データおよび全体画像データを取得することができる。
【０１４８】
そして、ステップＳ１３では、姿勢情報取得部８１０が、データ表示／センサ装置１００の姿勢を示す姿勢情報を取得しているか否かが判定される。つまり、第１表示／光センサ部３００Ａ及び第２表示／光センサ部３００Ｂが折り返した状態になければ（ステップＳ１３にてＮＯ）、姿勢情報取得部８１０は、データ表示／センサ装置１００の姿勢を示す姿勢情報を取得しない。従って、その場合は、「ＥＮＤ」に進む。
【０１４９】
一方、第１表示／光センサ部３００Ａ及び第２表示／光センサ部３００Ｂが折り返した状態にあれば（ステップＳ１３にてＹＥＳ）、姿勢情報取得部８１０は、データ表示／センサ装置１００の姿勢を示す姿勢情報を取得する。従って、その場合、姿勢情報取得部８１０は、その姿勢情報を特定部８２０に出力する。なお、姿勢情報取得部８１０がジャイロセンサによって構成されている場合、姿勢情報取得部８１０は、データ表示／センサ装置１００の角速度の変化を検出し、検出された角速度を電気信号に変えて、その姿勢情報を特定部８２０に出力する。
【０１５０】
続いて、特定部８２０は、姿勢情報取得部８１０が取得した姿勢情報に基づいて、第１表示／光センサ部３００Ａ又は第２表示／光センサ部３００Ｂのうち、何れが下側に位置する表示／光センサ部３００であるかを特定する（ステップＳ１４）。
【０１５１】
そして、特定部８２０が、下側に位置する表示／光センサ部は第１表示／光センサ部３００Ａである、と特定した場合（ステップＳ１４にてＹＥＳ）にステップＳ１４からステップＳ１５に進む。なお、図１０では、便宜のため、第１表示／光センサ部３００Ａを「Ａ」と称し、第２表示／光センサ部３００Ｂを「Ｂ」と称している。
【０１５２】
また、このとき、特定部８２０は、下側に位置する表示／光センサ部３００を示す位置特定情報を、入力無効部８３０、及び画像表示制御部８４０に出力する。
【０１５３】
続いて、ステップＳ１５で、入力無効部８３０が、データ処理部７００に対して、下側に位置する第１表示／光センサ部３００Ａの、近傍の像を入力する機能を無効にすることを示す入力無効情報を出力し、その結果、第１表示／光センサ部３００Ａの、近傍の像を入力する機能が無効となる。入力機能を無効にする手段としては、上述したように、主制御部８００で実行されるアプリケーションが、上側に位置する表示／光センサ部３００のみに関するコマンドを送信する、主制御部８００がデータ処理部７００に送信するコマンドの「予備」フィールドにおいて、例えば、“第１表示／光センサ部における検知を無効とする”といった新たなコマンドを設ける、あるいは、コマンドではなく、検知に必要な電源の供給を停止するような制御を行う、といった方法が考えられる。
【０１５４】
さらに、ステップＳ１６で、画像表示制御部８４０は、特定部８２０から入力された、下側に位置する表示／光センサ部３００を示す位置特定情報に基づいて、第１表示／光センサ部３００Ａにおける画像の表示を停止させる。
【０１５５】
そして、ステップＳ１７で、画像表示制御部８４０は、当該下側に位置する第１表示／光センサ部３００Ａにおける画像を、第２表示／光センサ部３００Ｂに表示するよう表示データを制御して、データ処理部７００へ表示データを送信し、ステップＳ１３の処理に戻る。
【０１５６】
なお、まずＡの入力機能無効（ステップＳ１６）が行われ、次にＡの表示停止（ステップＳ１７）という順序で処理の流れを説明したが、この順序に限定されず、同時に、あるいは逆の順序で行う構成であってもよい。
【０１５７】
次に、例えばユーザが、第１表示／光センサ部３００Ａと第２表示／光センサ部３００Ｂとの上下関係を逆転させた場合（ステップＳ１４にてＮＯ、つまり、特定部８２０によってＢが下側であると判定された場合）には、ステップＳ１４からステップＳ２１へ進む。
【０１５８】
なお、ステップＳ２１からステップＳ２３までの流れは、ステップＳ１５からステップＳ１７までの流れとＡ、Ｂとが異なるだけであるため、ここでの詳細説明は省略する。但し、第１表示／光センサ部３００Ａと第２表示／光センサ部３００Ｂとの上下関係を逆転して第１表示／光センサ部３００Ａが上側になると、第１表示／光センサ部３００Ａにて画像表示・画像入力が行われ、第１表示／光センサ部３００Ａでは、画像表示・画像入力は行われない。従って、「データ取得タイミング」フィールドにおけるコマンド、及び「スキャンパネル」フィールドにおけるコマンドは、適宜変更される。
【０１５９】
このように、本実施の形態に係るデータ表示／センサ装置１００及びその制御方法では、ユーザが像の入力を必要としていない下側の表示／光センサ部３００について、その近傍の像を入力する機能を無効とすることができ、その結果、当該下側の表示／光センサ部３００からの誤入力を防止することができる。そして、姿勢情報取得部８１０および特定部８２０によって下側に位置する表示／光センサ部３００を容易に特定できるため、従来のように、装置の裏表を認識するために、カバーケース等の他の物品を使用する必要がない。しかも、上記構成を備えることにより、折り返す面を予め決めておく必要がなく、表裏両面を均等に使用することができる。
【０１６０】
従って、上記携帯装置および上記制御方法では、当該装置の裏表等の区別なく、手に持った状態においても使用することができ、ユーザにとって、当該装置の操作性および利便性を向上させることができる。
【０１６１】
また、本実施の形態に係るデータ表示／センサ装置１００及びその制御方法では、当該装置の裏表等の区別なく、手に持った状態においても使用することができ、ユーザにとって、当該装置の操作性および利便性を向上させることができる。
【０１６２】
また、本実施の形態に係るデータ表示／センサ装置１００では、表示／光センサ部３００は、近傍の像を入力するだけでなく、画像を表示することができる。よって、表示／光センサ部３００は、データ表示／センサ装置１００ユーザに対する情報提示などを行うことができる。従って、ユーザは、表示／光センサ部３００に表示された画像を見ながら、データ表示／センサ装置１００を用いることが可能となるので、ユーザにとって、当該装置の操作性および利便性を向上させることができる。
【０１６３】
また、本実施の形態に係るデータ表示／センサ装置１００では、下側の表示／光センサ部３００が表示する画像は、もともとユーザからは視認することができない。そこで、画像表示制御部８４０が下側の表示／光センサ部３００における画像の表示を停止することにより、画像の表示に費やすデータ表示／センサ装置１００の消費電力を削減することが可能となり、ユーザにとって、より利便性に優れたデータ表示／センサ装置１００を実現することができる。
【０１６４】
また、本実施の形態に係るデータ表示／センサ装置１００では、下側の表示／光センサ部３００が表示する画像はユーザにとって視認することはできないが、画像表示制御部８４０が、下側の表示／光センサ部３００とは異なる他の表示／光センサ部３００にその画像を表示することにより、ユーザは、表面及び裏面に表示される画像を一画面で視認することが可能となる。これにより、ユーザにとって、より利便性に優れたデータ表示／センサ装置１００を実現することができる。
【０１６５】
また、本実施の形態に係るデータ表示／センサ装置１００では、姿勢情報取得部８１０が、ジャイロセンサ、加速度センサ、歪センサ、あるいは水銀スイッチによって構成されることにより、データ表示／センサ装置１００の姿勢の変化に精度良く追随して姿勢情報を取得することが可能となる。
【０１６６】
また、本実施の形態に係るデータ表示／センサ装置１００では、表示／光センサ部３００が、表示／光センサ部３００上の各位置における受光量を検出するフォトダイオード群を備えており、該フォトダイオード群が検出した受光量の変化に基づいて上記近傍の像を入力してもよい。これにより、表示／光センサ部３００上が首尾よく上記近傍の像を入力することができる。
【０１６７】
（補足）
最後に、データ表示／センサ装置１００の各ブロック、特に姿勢情報取得部８１０、特定部８２０、入力無効部８３０、および画像表示制御部８４０は、ハードウェアロジックによって構成してもよいし、次のようにＣＰＵを用いてソフトウェアによって実現してもよい。
【０１６８】
すなわち、データ表示／センサ装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデータ表示／センサ装置１００の制御プログラムのプログラムコード（実行形式プログラム、中間コードプログラム、ソースプログラム）をコンピュータで読み取り可能に記録した記録媒体を、上記データ表示／センサ装置１００に供給し、そのコンピュータ（またはＣＰＵやＭＰＵ）が記録媒体に記録されているプログラムコードを読み出し実行することによっても、達成可能である。
【０１６９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７０】
また、データ表示／センサ装置１００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１７１】
本発明は、対象物の像の入力を行なうことができる携帯装置ならびに該装置の制御方法に関するものである。
【図面の簡単な説明】
【０１７２】
【図１】本発明の一実施形態に係るデータ表示／センサ装置のより詳細な構成を示すブロック図である。
【図２】本発明の一実施形態に係るデータ表示／センサ装置が備えるセンサ内蔵液晶パネルの断面を模式的に示す図である。
【図３】図３（ａ）は、本発明の一実施形態に係るデータ表示／センサ装置が備えるセンサ内蔵液晶パネルにて反射像を検知することにより、ユーザがタッチした位置を検出する様子を示す模式図である。図３（ｂ）は、本発明の一実施形態に係るデータ表示／センサ装置が備えるセンサ内蔵液晶パネルにて影像を検知することにより、ユーザがタッチした位置を検出する様子を示す模式図である。
【図４】本発明の一実施形態に係るデータ表示／センサ装置の要部構成を示すブロック図である。
【図５】本発明の一実施形態に係るデータ表示／センサ装置で用いられるコマンドのフレーム構造の一例を模式的に示す図である。
【図６】図５に示したコマンドに含まれる各フィールドに指定可能な値の一例、および、その概要を説明する図である。
【図７】図７（ａ）は、本発明の一実施形態に係るデータ表示／センサ装置にて、対象物がセンサ内蔵液晶パネル上に置かれていないときに、センサ内蔵液晶パネル全体をスキャンした結果として得られる画像データである。図７（ｂ）は、本発明の一実施形態に係るデータ表示／センサ装置にて、ユーザが指でセンサ内蔵液晶パネルをタッチしているときに、センサ内蔵液晶パネル全体をスキャンした結果として得られる画像データである。
【図８】本発明の一実施形態に係るデータ表示／センサ装置が備える表示／光センサ部３００の要部、特に、センサ内蔵液晶パネルの構成および周辺回路の構成を示すブロック図である。
【図９】図９（ａ）は、データ表示／センサ装置１００の、第１表示／光センサ部３００Ａ及び第２表示／光センサ部３００Ｂを折り畳んだ状態を示す図である。図９（ｂ）は、図９（ａ）の状態から、第１表示／光センサ部３００Ａ及び第２表示／光センサ部３００Ｂを開けた状態（完全に折り畳んだ状態、あるいは完全に折り返した状態になっていない状態）を示す図である。図９（ｃ）は、図９（ｂ）の状態から、さらに第１表示／光センサ部３００Ａ及び第２表示／光センサ部３００Ｂを開け、最終的に第１表示／光センサ部３００Ａ及び第２表示／光センサ部３００Ｂを折り返した状態を示す図である。
【図１０】図１０は、データ表示／センサ装置１００の処理の流れを表すフローチャートである。
【符号の説明】
【０１７３】
１００  データ表示／センサ装置（携帯装置）
３００  表示／光センサ部
３０１  センサ内蔵液晶パネル（面状部材）
７００  データ処理部
８００  主制御部
８１０  姿勢情報取得部（姿勢情報取得手段）
８２０  特定部（特定手段）
８３０  入力無効部（入力無効手段）
８４０  画像表示制御部（画像表示制御手段）
【図１】
2010140410.tif 000003
【図２】
2010140410.tif 000004
【図３】
2010140410.tif 000005
【図４】
2010140410.tif 000006
【図５】
2010140410.tif 000007
【図６】
2010140410.tif 000008
【図７】
2010140410.tif 000009
【図８】
2010140410.tif 000010
【図９】
2010140410.tif 000011
【図１０】
2010140410.tif 000012